(57)【要約】特に飲料缶の、再び閉じることのできる蓋であって、蓋板（１１）に形成されており、且つ所定の破断ライン（１２）によって境界が定義されている切取り部分（１３ａ）と、所定の破断ラインを破断させることを目的として、蓋板（１１）に回転可能な状態で取り付けられているオープナータブ（１４）と、を有する、再び閉じることのできる蓋。オープナータブ（１４）の固定タング（１６）は、自由にねじることのできる部分（１６ａ）を有する。オープナータブ（１４）の握り部分（１８）の下面には、平らなクロージャアタッチメント（３１）が形成されている。クロージャアタッチメント（３１）は、所定の破断ライン（１２）を破断させることによって形成される開口（１３ｂ）に嵌まり、開口（１３ｂ）を再び閉じるように形成されている。
2006510553.tif 000002
【特許請求の範囲】
【請求項１】
破断部分（１３ａ）が形成されている蓋板（１１）と、
押圧部分（１７）、握り部分（１８）及び固定タング（１６）が設けられているオープナータブ（１４）と
を有する、特に飲料缶のような容器（１０）の蓋（１）であり、
前記固定タング（１６）が、前記オープナータブの切取り部（３４）に配置されており、前記押圧部分（１７）の上に形成されているフット（３５）を有し、前記オープナータブ（１４）を、前記破断部分（１３ａ）の横に、回転可能な状態で前記蓋板の固定スタッド（１５）に固定しており、
前記オープナータブ（１４）のオープナー回転位置において、前記握り部分（１８）を持ち上げることによって、前記破断部分（１３ａ）を、前記押圧部分（１７）によって押し下げて、これによって破断させることができ、従って、境界縁部（２３）によって境界が定義されている開口（１３ｂ）が前記蓋板に形成され、前記オープナータブのクロージャ回転位置において、前記開口（１３ｂ）をクロージャアタッチメント（３１）によって再び閉じることができ、且つ、
前記クロージャアタッチメント（３１）が、前記握り部分に形成されている凹部によって、前記握り部分の下面に、覆いカラー（３２）の角度において突出している、
前記蓋、において、
前記固定タング（１６）が、細長い形状に形成されており、且つ、該固定タング（１６）のフット（３５）と前記固定スタッド（１５）との間にねじり部分（１６ａ）を有することと、
前記クロージャアタッチメント（３１）が、平らな形状に形成されており、輪郭が前記開口（１３ｂ）の輪郭に一致する周囲面（１９）を、前記覆いカラーに隣接して有し、もって、前記オープナータブ（１４）の前記クロージャ回転位置において、前記握り部分を閉位置に押し下げることができ、前記閉位置において、前記クロージャアタッチメント（３１）が、前記覆いカラー（３２）が前記開口（１３ｂ）の前記境界縁部（２３）の上に実質的に乗る程度に、前記開口（１３ｂ）に係合するようになっていることと、
を特徴とする、蓋。
【請求項２】
前記固定タング（１６）が、そのフット（３５）によって、前記オープナータブ（１４）の前記オープナー回転位置において前記固定スタッド（１５）の横の前記破断部分（１３ａ）の前記縁部部分（２６）を超えて突出している、請求項１に記載の蓋。
【請求項３】
前記開口（１３ｂ）が、前記オープナータブ（１４）の前記オープナー位置において、両側において前記オープナータブ（１４）の前記押圧部分（１７）を大幅に超えて延在しており、前記オープナータブが、その押圧部分からその握り部分まで徐々に幅が広がっている、請求項１又は２に記載の蓋。
【請求項４】
前記開口（１３ｂ）の、前記固定スタッド（１５）の横の側が、直線に沿って延びている、請求項１〜３のいずれか１項に記載の蓋。
【請求項５】
前記オープナータブ（１４）が、前記蓋板（１１）からある距離に延在しており、前記固定タング（１６）の前記フット（３５）と前記固定タング（１６）の前記ねじり部分（１６ａ）との間に、前記ねじり部分と前記押圧部分（１７）とに対してある角度に配置されているフット部分（３５ａ）が形成されている、請求項１〜４のいずれか１項に記載の蓋。
【請求項６】
前記クロージャアタッチメント（３１）の前記覆いカラー（３２）の輪郭よりも大きい輪郭を有する受入れ凹部（３３）であって、前記オープナータブ（１４）の前記オープナー回転位置において前記クロージャアタッチメントを受け入れることを目的とする、前記受入れ凹部が、前記蓋板（１１）に形成されており、もって、前記固定スタッド（１５）の周囲領域において前記蓋板を補強するショルダーを有する突出し形成部が、前記蓋板（１１）の前記下面に形成されている、請求項１〜５のいずれか１項に記載の蓋。
【請求項７】
前記蓋板（１１）の前記固定スタッド（１５）が、前記固定スタッドの少なくとも直径に一致する距離（２７）だけ前記開口（１３ｂ）から離れた位置に配置されている、請求項１〜６のいずれか１項に記載の蓋。
【請求項８】
前記開口（１３ｂ）の前記境界縁部（２３）が、補強環状ビード（４）によってその境界が定義されている、請求項１〜７のいずれか１項に記載の蓋。
【請求項９】
前記環状ビード（４）と前記受入れ凹部（３３）とに結合されている補強ビード（５）が、前記固定スタッド（１５）の両側のそれぞれに形成されている、請求項７及び８に記載の蓋。
【請求項１０】
前記オープナータブ（１４）の前記押圧部分（１７）が、その自由端の領域において中央ビード（６）によって補強されている、請求項１〜９のいずれか１項に記載の蓋。
【請求項１１】
前記オープナータブ（１４）の前記押圧部分（１７）の前記境界画成縁部が、握り部分（１８）まで補強隆起（２８）によって補強されている、請求項１〜１０のいずれか１項に記載の蓋。
【請求項１２】
前記オープナータブ（１４）の前記押圧部分（１７）が、
前記固定タング（１６）の前記フット（３５）に沿っている隆起リブ（２９）であり、前記固定タング（１６）の両側において切取り部（３４）に沿っている隆起リブ（２９）によって、補強されている、請求項１〜１１のいずれか１項に記載の蓋。
【請求項１３】
前記隆起リブ（２９）のうち前記切取り部（３４）の両側に延在している部分が、前記補強隆起（２８）に結合されている、請求項１１及び１２に記載の蓋。
【請求項１４】
前記開口（１３ｂ）の前記境界縁部（２３）とラッチ式に相互作用するラッチ突起（３９）が、前記クロージャアタッチメント（３１）の前記周囲面（１９）に形成されている、請求項１〜１３のいずれか１項に記載の蓋。
【請求項１５】
指の隙間（２４）が、前記開口（１３ｂ）の、前記固定スタッド（１５）から遠い側に蓋板１１に形成されており、前記オープナータブ（１４）の前記クロージャ回転位置において、前記握り部分（１８）の前記覆いカラー（３２）を超えて突出している、請求項１〜１４のいずれか１項に記載の蓋。
【請求項１６】
指の隙間（２５）が、前記オープナータブ（１４）の前記オープナー回転位置における、前記握り部分（１８）の、前記固定スタッド（１５）から遠い側に、前記蓋板（１１）に形成されている、請求項１〜１５のいずれか１項に記載の蓋。
【請求項１７】
前記クロージャアタッチメント（３１）が、周囲隆起として又は台地状の隆起として形成されている、請求項２〜９のいずれか１項に記載の蓋。
【請求項１８】
前記蓋板（１１）が、ある距離だけ前記オープナータブ（１４）より上に立ち上がっている突出縁部フランジ（２）を有する、請求項１〜１１のいずれか１項に記載の蓋。
【請求項１９】
前記オープナータブ（１４）の前記固定タング（１６）が、ばねタングとして形成されており、前記ばねタングによって、前記オープナータブの前記クロージャアタッチメント（３１）が、前記蓋板（１１）に弾性的に押し付けられている、請求項１〜１８のいずれか１項に記載の蓋。
【請求項２０】
請求項１〜１９のいずれか１項に記載の蓋（１）を有する、特に飲料缶のような容器（１０）。
【請求項２１】
請求項１８に記載の蓋（１）を有する、請求項２０に記載の特に飲料缶のような容器（１０）であって、
前記蓋板（１１）の前記突出縁部フランジ（２）が前記オープナータブ（１４）より上に立ち上がっている距離よりも小さい軸方向長を有する軸方向環状フランジ（３）が、周囲体から半径方向の所定距離にて、前記容器（１０）の下端部に設けられている、
特に飲料缶のような容器。
【発明の詳細な説明】
【発明の詳細な説明】
【０００１】
本発明は、容器、特に飲料缶の蓋に関する。この容器は、当該容器の内容物へのアクセス開口が形成されるようにオープナータブによって破断させることができる、蓋板に形成されている破断部分と、アクセス開口を随意的に再び閉じることができる、オープナータブのクロージャアタッチメント（ｃｌｏｓｕｒｅ  ａｔｔａｃｈｍｅｎｔ）とを備えている。
【０００２】
蓋板とオープナータブは、それぞれ、所望の輪郭に切断された薄い板材から、一次成形技術によって、又は、特に、再形成技術によって、又は、押抜き若しくは深絞り、又はその両方によって、成型方式によって製造される。オープナータブ若しくは蓋板、又はその両方は、プラスチック材料（場合によっては繊維強化プラスチック材料）から、又は、好ましくは、金属板材、特に、アルミニウム合金又は鉄合金から、製造される。
【０００３】
本発明による蓋は、流動性のある物質を受け入れる容器に設けることができ、流動性のある物質とは、例えば、粉末物質又は粒状物質、例えば、コーヒー粉やココアパウダー、粉末スープ、又はその他の家庭用の調整粉末又は調整顆粒（ｐｒｅｐａｒｅｄ  ｐｏｗｄｅｒ  ｏｒ  ｇｒａｎｕｌｅｓ）、或いは、特に、液体（固体を含んでいることもできる）、例えば、飲料、液体肉汁、スープ、オイルなどである。また、本発明による蓋は、その他の液体用容器又は粉末用容器、例えば、液体状、粉末状、又は顆粒状の洗剤若しくは処理剤などを入れる容器にも使用することができる。
【０００４】
飲料缶又は粉末容器のこのような蓋であって、蓋板における破断部分であり、所定の破断ラインによって少なくとも部分的に境界が定義されている、破断部分と、フットを中心として曲げることのできる固定タングによって、蓋板の破断部分の横に、特に中空のリベット又は中実のリベットの形式における固定スタッドに、回転可能な状態で固定されているオープナータブと、を備えている、蓋、は、広く知られている。固定タングは、オープナータブの握り部分と押圧部分との間の、オープナータブの切取り部に配置されており、固定スタッドの横の破断部分、及び従って破断部分を破断させることによって形成される開口、の縁部部分と同じように、固定スタッドの頭部においてそのフットを終端としている。オープナータブのオープナー回転位置（ｏｐｅｎｅｒ  ｐｉｖｏｔｅｄ  ｐｏｓｉｔｉｏｎ）において握り部分を持ち上げることによって、破断部分の上に突出している押圧部分が、固定タングのフットを中心として下向きに揺動し、従って、破断部分が押し下げられ、その結果として、所定の破断ラインに沿って破断する。破断部分は、所定の破断ラインが途切れている位置に形成される、開口の縁部から下がった状態のままであり、通常は、オープナータブの押圧部分によってオープナータブを更に上に揺動させることにより、蓋板の更に下に揺動する。
【０００５】
飲料缶の蓋における破断した開口を、開けた後に再び閉じることを可能にする様々な工夫が公知であり、例えば、国際公開第９８／１２１１８号パンフレットにおける工夫である。この公知の飲料缶においては、オープナーの握りタブと、飲料缶に取り付けられている蓋板との間に、追加のクロージャ板が設けられている。このクロージャ板は、蓋板に形成されている周囲溝における周囲隆起により、回転可能な状態で固定されており、蓋板から破断させる開口に一致する開口を有する。クロージャ板を、場合によってはオープナータブと一緒に回転させることによって、クロージャ板の開口を、蓋板の開口から離れた位置に回転させておくことができ、結果的に、蓋板の開口を再び閉じることができる。
【０００６】
国際公開第９９／６５７８０号パンフレットによると、従来のオープナータブに代わるものとして、特殊な設計のプラスチックボディであって、蓋板の破断部分を破断させることによって飲み口を開き、同時に、その飲み口の新たな栓の役割を果たす、プラスチックボディ、が設けられている。プラスチックボディは、揺動及び回転することができ、且つ、弾性的に撓むことができるように、柔軟に変形することのできるスタッドを使用して蓋板に固定されている。スタッドは、蓋板の上にリベットによって固定されており、ヘッドとして、横方向に延在しており且つ両側に突出している軸方向ウェブを有する。従って、プラスチックボディを破断部分の上に動かし、軸方向ウェブを中心として揺動させて破断部分を破断させることができる。その結果として形成される開口は、プラスチックボディを１８０°回転させた後、クロージャアタッチメントを使用して再び閉じることができる。プラスチックボディを揺動させるときに、破断部分を破断させるのに適する位置までプラスチックボディを更に動かすことができるようにする目的で、軸方向ウェブの摺動溝をプラスチックボディに設けることができる。
【０００７】
一方では、独国実用新案公開第８９  １１  ２８６号明細書によると、回転可能な状態でリベットに固定されているオープナーが、その握り部分に凹部を有し、従って、握り部分の幅広の覆いカラーからある角度で突出しているクロージャアタッチメントが、蓋板に面している握り部分の下面に形成されている。オープナータブは、ばね板で構成されている。クロージャアタッチメントは、凸状弓形に湾曲しており、覆いカラーにおける大きさが、破断により生じる開口よりも大きい。従って、オープナー回転位置においては、クロージャアタッチメントの凸部が蓋板の受入れ凹部に弾性的に押し付けられている。オープナータブを固定スタッドの周りにクロージャ回転位置（ｃｌｏｓｕｒｅ  ｐｉｖｏｔｅｄ  ｐｏｓｉｔｉｏｎ）まで回転させると、クロージャアタッチメントの凸部が開口の境界縁部に弾性的に押し付けられ、開口を再び閉じることができる。オープナー回転位置とクロージャ回転位置とにおいて、覆いカラーは、軸方向に突出している蓋の縁部より上のある距離に、蓋板より上に斜め上方に突出している。オープナータブは、半円状の幅広の固定タングを有し、結果的に、このタングは、リベットの軸に垂直に交差する曲がりラインを中心として弾性的に撓むことができるようにされている。曲がりラインを中心としてオープナータブをわずかに撓ませるのみによって、凸状に湾曲しているクロージャアタッチメントを開口の境界縁部に押し付けるだけの十分に大きなばね力が、固定タングのフットにおいてかかるようにするためには、オープナータブには、比較的強くプレストレスを与えておかなければならない。その一方で、オープナータブに強いプレストレスを与えると、その影響として、オープナータブの固定スタッドに非常に強い負荷がかかる。蓋を開けるときに、蓋板からの破断が起こるまで大きな力で破断部分を押し下げた場合、この負荷に起因して、薄い蓋板から固定スタッドが破断することがある。
【０００８】
その他の公知の構造（例：欧州特許公開第０５５８４４２号明細書）の場合には、個別のクロージャシューがオープナータブの握り部分に押し付けられている。このシューは、回転可能な状態で缶の縁部にガイドされており、固定スタッドを中心としてオープナータブを回転させることによって開口の上に回転する。これにより、クロージャシューは、開口の境界縁部に乗って開口をシールする。
【０００９】
本発明は、容器、特に飲料缶の蓋であって、蓋板の破断部分を破断させることによって形成される開口をオープナータブを使用する単純な手段によって効果的に再び閉じることができる蓋を提供する。本発明による蓋は、大量生産に適しており、更に、取扱いが単純であり、蓋のクロージャの使い方が非常に容易である。
【００１０】
模範的な実施形態の説明に関連して詳細に説明してあるが、容器の本発明による蓋、特に飲料缶の本発明による蓋は、破断部分が形成されている蓋板と、破断部分の横に、回転可能な状態で固定タングによって蓋板の固定スタッドに固定されているオープナータブとを備えている。従って、オープナータブのオープナー回転位置において、握り部分を持ち上げることによって、破断部分を押し下げて、これによって、オープナータブの押圧部分によって破断させることができ、蓋板に、境界縁部によって境界が定義される開口が形成される。
【００１１】
本発明によると、オープナータブの握り部分は、その輪郭から同じ距離にその上側に形成されている閉じた凹部を有し、従って、平らなクロージャアタッチメントが下面から突出している。クロージャアタッチメントは、側面から見たとき、全体が実質的に長方形、又はほぼ長方形であり、その底部は、握り部分の下面における覆いカラーによって囲まれている。クロージャアタッチメントは、蓋板から破断する開口の境界縁部の中に、実質的に覆いカラーが境界縁部に乗るまで、破断部分の代わりとして、その周囲面によって嵌まる。
【００１２】
更に、本発明によると、固定タングは、従来のオープナータブの固定タングよりも長く形成されている。従って、オープナータブは、破断部分を勢いよく破断させることができるように比較的堅くすることができる。その一方で、開口に対するオープナータブの望ましい位置からのずれと、製造時と特に破断部分を破断させるときに起こりうる蓋板のゆがみ及び曲げ変形に起因する寸法の変化とを、ある程度補正できるようにする目的で、クロージャアタッチメントを正しい位置において開口の中に押し下げることができるように、ある程度動くことができるようにされている。
【００１３】
本発明の更なる改善においては、中に形成されたｆｏｒｍｅｄ−ｉｎ）補強ビード若しくは外に形成された（ｆｏｒｍｅｄ−ｏｕｔ）補強隆起、又はその両方を使用して、固定タングを除いてオープナータブの曲げ剛性をできるだけ大きくすることと、蓋板のうち、特に破断部分を押し下げて破断させるときに変形力が作用する領域を、凹状補強ビード又はその他の凸状補強を使用して補強すること、が考えられる。押圧部分の補強は、上側に突出する隆起を使用して形成することが好ましい。これに対して、蓋板の補強は、できるだけ平らに設計されているオープナータブの回転性を妨げる可能性が最小になるように、蓋板の上側に形成されるビードとして形成することが好ましい。
【００１４】
オープナータブ若しくは蓋板、又はその両方を上記のように補強することによって、固定タングが曲がることができるにもかかわらず、特にクロージャアタッチメントの寸法の狂いと、所定の場所に固定されている固定スタッドに対称的に破断した開口に対する位置のずれとが、まったく生じない、又はわずかに生じるのみであるという効果が達成される。
【００１５】
本発明とその更なる好ましい改善について、模範的な実施形態に基づいて以下に説明する。これらの実施形態の特徴は、図面に見ることができる。
【詳細な説明】
【００１６】
図１は、アルミニウム材料から円筒形容器として製造される飲料缶１０の平面図を示している。飲料缶１０は、蓋板１１とオープナータブ１４とを有する蓋を備えている。蓋板１１には、所定の破断ライン１２が設けられており、このラインによって開口１３ｂが定義されている。所定の破断ライン１２の領域には、オープナータブ１４が、リベット１５を中心として水平に回転することができるように取り付けられており、リベット１５は、好ましくは蓋板１１の中心において軸を形成している。リベット１５は、固定タング１６を貫いている。固定タングは、オープナータブ１４の上に形成されており、弾力性を持つように形成されている。オープナータブ１４の製造時、タング１６は、図２に点線によって表したように、ある角度、例えば約１５〜３０°の角度で上に曲げられている。従って、完全に組み立てられた状態においては、タング１６は、リベット１５によって下向きに蓋板１１の表面に押し付けられており、従って、オープナータブ１４に弾性プレストレスがかかっている。
【００１７】
上部タブ１４は、所定の破断ライン１２の領域内に押圧部分１７を有する。押圧部分は、蓋板１１の上を覆っており、後から形成される開口１３の領域内に少なくとも一部が突出している。オープナータブ１４は、突出し部１７の反対側に位置しており、凹部３０を有する握り部分１８と、蓋板１１の表面に面しているクロージャ手段を備えている。この模範的な実施形態においては、クロージャ手段は、クロージャアタッチメント３１として形成されており、このクロージャアタッチメント３１は、ヒール状に突出しており、後から形成される開口１３に適合するようなサイズ及び形状を有する。クロージャアタッチメント３１の周囲面１９は、円錐状に形成されていることが好ましく、これにより、シール特性が向上する。ヒールによって形成されているオープナータブ１４の縁部２０は、ここを握ってタブを作動させることができる。
【００１８】
クロージャアタッチメント３１の下には、図１において、蓋板１１の凸部３７を見ることができる。この凸部によって、オープナータブ１４のクロージャ回転位置において押圧部分１７が持ち上げられ、従って、クロージャアタッチメント３１が開口１３ｂの中に押し下げられる。
【００１９】
図２と図３は、本発明によるクロージャ及び本発明によるオープナータブ１４の第２の実施形態を示している。唯一の違いは、オープナータブ１４が、押圧部分１７とは反対側の端部にハンドル２１を有することであり、このハンドルによって、オープナータブ１４をしっかりと握って作動させることができる。
【００２０】
図２は、図１と図２に示した両方の実施形態に共通する本発明によるクロージャの作動形態を更に示している。オープナータブ１４を矢印Ａの方向に垂直に動かすことによって、後から開口１３ｂを破断させるための所定の破断ライン１２によって定義されている破断部分１３ａに押圧部分１７が押し付けられる。これによって、所定の破断ライン１２が裂けて開き、これによって開口１３が形成される。破断した部分は押し下げられ、容器１０の内側に部分２２として突出し、蓋板１１の下面から下がった状態のままとなる。開口１３ｂがいったん開くと、オープナータブ１４は、図２に示したようにタング１６のばね力によって少なくとも部分的にその元の位置に戻る。
【００２１】
開口１３ｂを閉じる場合には、オープナータブ１４を固定スタッド１５を中心として１８０°動かす。これによって、クロージャ手段１８（模範的な実施形態においてはヒールとして形成されている）が、開口１３ｂの上に位置する。プレストレスを与えられているタング１６のばね力によって、オープナータブ１４が開口１３の方向に押し下げられて、開口を閉じる。この場合、クロージャアタッチメント３１が開口１３ｂに押し込まれ、これによって、このようにして形成されるクロージャのシール特性が向上している。この操作は繰り返すことができ、開口１３ｂを何度も開いたり閉じたりすることができる。
【００２２】
図４〜図６は、本発明による蓋の、現時点において好ましい更なる実施形態を示している。
【００２３】
この実施形態においても、容器、特に飲料缶１０（図９）の、本発明による蓋１には、蓋板１１が設けられており、蓋板１１には、破断部分１３ａと、一体に形成されているオープナータブ１４とが設けられている。オープナータブ１４には、その一部として、押圧部分１７及び握り部分１８と、固定タング１６とが設けられている。固定タング１６は、押圧部分と握り部分との間の、オープナータブの切取り部３４の中に配置されており、押圧部分１７の上に形成されているフット３５を有する。固定タング１６を使用することによって、オープナータブは、破断部分１３ａの横に、回転可能な状態で蓋板１１の固定スタッド１５に固定されている。従って、オープナータブのオープナー回転位置において（図４及び図７）、握り部分を持ち上げることにより、押圧部分によって破断部分を押し下げて、これによって破断させることができ、境界縁部２３によって境界が定義される開口１３ｂが蓋板１１に形成される。
【００２４】
固定スタッドは、蓋板からプレス加工された中空のリベットであることが好ましい。しかしながら、適切であれば、中実のリベット、又はその他のスタッド構造を固定スタッドとして使用することもできる。
【００２５】
破断部分１３ａは、中断ポイント１２ａ（図６）を除いて、少なくとも部分的に、好ましくはほぼ完全に、所定の破断ライン１２によって境界が定義されている。中断ポイントは、破断した破断部分が、図２の２２に示したように、破断した開口１３ｂの縁部から下がった状態のままで、容器の中には落下しないようにする役割を果たす。
【００２６】
本発明によると、オープナータブ１４の握り部分１８は、輪郭２０の全周から同じ距離にその上側に形成されている凹部３０を有する（図４）。従って、蓋板１１に面している下面に、平らなクロージャアタッチメント３１が形成されている。クロージャアタッチメントは、側面から見たときに、全体として実質的に長方形、又はほぼ長方形である輪郭を有し、その底部は、覆いカラー３２によって囲まれている。覆いカラーは、握り部分１８の下面によってクロージャアタッチメントの周囲に形成されている。
【００２７】
結果的に、クロージャアタッチメントは、周囲部を有し、その外側周囲面１９は、９０度の角度で、又は好ましくは９０度をやや超える角度、例えば９３〜１００度で、覆いカラー３２から突出している。
【００２８】
周囲面１９は、蓋板１１における所定の破断ライン１２によって決まる破断部分１３ａ（それと同時に開口１３ｂ）の外形と少なくともほぼ同じか、又は幾何学的に少なくともほぼ類似する輪郭を、覆いカラー３２の高さに有する。従って、オープナータブが固定スタッド１５を中心としてオープナー回転位置（図４及び図７）からクロージャ回転位置（図５及び図８）に回転しており、且つ握り部分１８が押し下げられているときに、クロージャアタッチメント３１は、その周囲面において開口１３ｂの境界縁部２３の中にぴったりと収まり、覆いカラー３２が開口の境界縁部上に乗っていることが好ましい。クロージャアタッチメント３１の下面は、オープナータブ１４に実質的に平行に延びていることが好ましい。オープナータブ１４は、全体的に平らであるか、好ましくは全体的に平面である、又は凹状に形成されている。従って、凹部３０の底部は、対応して平面として延在しているか、又は、例えば、握り部分１８における対応する周辺ビードを形成することによって、その中央領域において凸状に上に突出している。
【００２９】
更に、本発明によると、固定タング１６は、細長い形状に形成されている。従って、オープナータブ１４の押圧部分１７の上に形成されているフット３５と、固定スタッド１５との間に、自由に曲がることのできるねじり部分１６ａが存在する。この結果として、オープナータブのクロージャ回転位置において、クロージャアタッチメントを開口１３ｂの中に押し下げるときに、オープナータブの純粋な揺動の動きから逸脱するようなオープナータブ、及び従って握り部分の動きが可能であり、なぜなら、純粋な揺動の動きからのそのような逸脱は、固定タング１６のねじり部分１６ａの曲がり若しくはねじり、又はこの両方によって吸収することができるためである。例えば、オープナータブの握り部分を、蓋板１１に少なくともほぼ垂直な方向に押し下げることが可能であり、従って、クロージャアタッチメント３１を開口１３ｂの平面に少なくともほぼ垂直に開口の中に動かすことも可能である。
【００３０】
また、固定タング１６に自由部分１６ａを形成することによって、例えば、クロージャアタッチメント３１が、最初、固定タングから遠い縁部において開口１３ｂにいくぶん斜めに入り、その後、固定タングに面している縁部において開口の中に倒して完全に収まるようにすることができる。従って、クロージャアタッチメントのわずかな位置のずれが補正されるように、開口の縁部とクロージャアタッチメント３１は、位置が合うように互いに作用することができる。
【００３１】
更に、固定タング１６の上にねじり部分１６ａを形成することによって、蓋板１１の寸法公差と、製造時と特に破断部分を破断させるときとに起こりうるゆがみ及び曲げ変形とが、ある程度補正されるようにすることが可能である。
【００３２】
オープナータブのオープナー回転位置（図７）において、固定タング１６のフット３５が、固定スタッド１５の横の破断部分１３ａの縁部部分２６をいくらか超えて突出しているように、固定タング１６のフットライン３５と固定スタッド１５との間の自由長は、開口１３ｂと固定スタッド１５との間の（最小）距離２７（図６）よりもいくらか大きいことが好ましい。その結果として、破断部分１３ａを破断させるときにオープナータブ１４が揺動するときの中心となる曲がりラインは、破断部分の上に位置する。この結果として、破断部分を押し下げて容器の中に揺動させるときに、オープナータブの押圧部分１７が、固定スタッド１５の横の露出した開口１３ｂの縁部部分２６に当たることと、その結果としてこの縁部部分と、その横の開口の境界縁部２３の部分とが、定義されていない様式で押圧部分によって曲がることとを、防止することができる。このような曲げ変形が生じると、開口を再び閉じるときにクロージャアタッチメント３１が開口に入ることができなくなるか、又は少なくとも妨げられることがある。
【００３３】
本発明による蓋の場合には、オープナータブのオープナー位置において固定スタッド１５の横の破断部分又は開口の境界縁部２３の部分２６の上に位置する、押圧部分１７の断面線において、破断部分１３ａと、従って開口１３ｂを、押圧部分１７よりも幅を広くすることができる。この点において、押圧部分１７（オープナー位置において開口１３ｂの上にできるだけ遠くまで延在している）のその断面線において、開口を押圧部分よりも大幅に広くすることが可能である（図４）。オープナータブの握り部分１８のクロージャアタッチメント３１は、その輪郭の寸法が、破断した開口１３ｂの輪郭の寸法に一致するため、本発明によるオープナータブの握り部分は、開口のサイズに適合する形状である押圧部分から徐々に広くなっている。オープナータブは、その結合部分、すなわち、押圧部分から最大幅の握り部分までにおいて、幅が徐々に広がっていることが好ましい。この場合、この結合部分の輪郭のラインは、直線（図４及び図５）又はわずかに凸状の弧となっていることが好ましい。
【００３４】
開口１３ｂの輪郭が、固定スタッド１５から遠い側において凸状弓形であり、従って、本発明によるオープナータブの握り部分の、固定スタッドから遠い境界画成縁部（ｄｅｌｉｍｉｔｉｎｇ  ｅｄｇｅ）が同様に凸状弓形である場合、本発明によるオープナータブ１４の好ましい基本形、すなわち、押圧部分１７から握り部分１８まで徐々に広がっている形状は、二等辺三角形の基本形状として表現することもできる。この場合、二等辺三角形の頂点は、押圧部分が形成及び画成されるように丸みを帯びており、二等辺三角形の辺は、握り部分における三角形の凸状弓形の底辺に、丸みを帯びながら結合されている（図４及び図５によるオープナータブ１４の輪郭を参照）。
【００３５】
破断した開口１３ｂのうち固定スタッド１５に面している境界画成縁部部分２６を、凹状弓形又は凸状弓形とすることができる場合であっても、この境界画成縁部部分は、オープナータブのオープナー位置において固定タングの直線のフットラインに平行に延びる直線に沿って延びているようにすることが好ましい（図６）。この結果として、特に、固定タング１６のフット３５が、オープナータブのオープナー位置において固定タング１５の横の開口の縁部を超えて突出している実施形態の場合に、押圧部分１７が開口１３ｂの縁部部分２６に当たったり、場合によってはりム部分を曲げることなく、破断させた破断部分１３ａが蓋板１１の下に完全に揺動するように、押圧部分を９０度以上に下に揺動させることを達成することができる。
【００３６】
更なる好ましい実施形態においては、オープナータブ１４は、全体として、蓋板１１からある距離において平行に延びている。固定タング１６のねじり部分１６ａとフットライン３５との間には、フット部分３５ａが形成されており、このフット部分は、急勾配で登っていることが好ましい（図７）。これによって、クロージャアタッチメント３１の高さを比較的大きくすることができ、固定タングのねじり部分とフット部分との間の結合ライン上にオープナータブが支持されることを達成することができる（図８）。これにより、押圧部分１７を押し下げることによって、クロージャアタッチメント３１を開口１３ｂからより容易に持ち上げることができる。
【００３７】
固定スタッド１５に対して破断部分１３ａ、及び従って開口１３ｂの反対側には、オープナータブのオープナー位置において、突出しているクロージャアタッチメント３１を受け入れるための受入れ凹部１３が、蓋板１１に形成されていることが好ましい（図８）。受入れ凹部３０の輪郭は、クロージャアタッチメントの輪郭よりわずかに大きくすればよいが、クロージャアタッチメント３１の周囲の覆いカラー３２の輪郭よりも大きいことが好ましい。オープナータブのオープナー回転位置においては、クロージャアタッチメントは、受入れ凹部の底部から離れた状態で受入れ凹部に入っている（図７）。受入れ凹部の底部は、破断部分１３ａと、従って、破断部分を破断させることによって形成されている開口１３ｂの平面よりも深い位置にある。従って、オープナータブのクロージャ回転位置においては（図８）、クロージャアタッチメントは、固定タング１６の変形が戻った状態で開口１３ｂにすでに入っており、従って、覆いカラー３２が開口１３ｂの境界縁部２３上に乗るまで握り部分１８を少しだけ押し込むのみでよい。
【００３８】
更に、蓋板に受入れ凹部３３を形成することにより、蓋板の下面に突出し形成部が形成される。この形成部は、破断部分を押し下げて破断させるときの変形に対して、蓋板１１を補強する。特に、固定スタッド１５に隣接する領域に、この形成部によって補強ショルダー部３８を形成することができる。破断部分１３ａを破断させるときにオープナータブの固定タング１６によって固定スタッド１５に横方向に相当な引張り力がかかっている状態において、固定スタッドが傾き、それと同時に薄い蓋板１１が変形することを、このショルダー部によって大幅に防止することができる。
【００３９】
また、本発明の更なる改善において、固定スタッド１５が、破断部分の隣接する境界画成部分にできるだけ近くに配置されずに、この境界画成縁部部分２６からある距離２７（中空リベットとして形成されている固定スタッド１５の直径に少なくとも相当する（図７及び図８））に配置されている場合にも、受入れ凹部を形成することは、スタッドの傾きと蓋板１１の変形を防止することを達成するうえで役立つ。なぜなら、この結果として、固定スタッドが蓋板１１上のより安定的な位置に保持され、従って、オープナータブ１４がクロージャ回転位置に回転するときのオープナータブ１４の回転性が阻害されないことにもつながるためである。
【００４０】
更に、固定スタッドが傾くと、これに起因して、クロージャアタッチメント３１の位置の寸法条件が大きく変化し、オープナータブを回転させても開口１３ｂと位置が合うことがなくなり、この開口をもはや閉じることができなくなることがある。
【００４１】
また、蓋板１１の破断部分の破断時に破断部分を押し下げるとき、破断部分１３ａの境界領域が大きく変形することがないように、できるだけ配慮してある。このような永久的な変形は、これに起因して、クロージャアタッチメントの輪郭が、破断した開口の輪郭ともはや一致せず、従って、開口をしっかりと閉じることができないという状況が発生することがある。従って、破断部分、従って同時に開口１３ｂの境界縁部２３は、蓋板における補強環状ビード４によって境界が定義されていることが更に好ましい。
【００４２】
更に、そのような環状ビードは、固定スタッド１５の境界領域において、固定スタッドの両側の２本の補強ビード５（図６）に結合させることができる。補強ビード５は、受入れ凹部３３の下面の形成部３８において終了している。
【００４３】
クロージャアタッチメント３１の寸法条件を維持することは、固定タング１６の外側の領域における永久的な変形に対して、厚さができるだけ薄くなっている材料のオープナータブを補強することに更に頼ることもできる。公知のオープナータブでは、破断部分を破断させるときの座屈に対するオープナータブの補強を達成する目的で、通常、その境界縁部に沿ってクリンプ処理（ｃｒｉｍｐ）も行われている（図７及び図８）。本発明によるオープナータブの場合にも、クリンプ処理を行うことができる。更に、オープナータブの押圧部分１７を、その自由端の領域において中央ビード６によって補強することができる（図４、図５、図７）。押圧部分の２本の横方向境界画成縁部に沿ったクリンプ縁（ｃｒｉｍｐｅｄ  ｈｅｍ）に加えて、又はこれに代えて、オープナータブ１４の握り部分１８まで達している縁部補強隆起２８（図４及び図５）によって押圧部分を補強することも、好ましいことが判明している。いずれの場合にも、本発明によるオープナータブの握り部分は、凹部３０又はクロージャアタッチメント３１の形成によってすでに補強されている。
【００４４】
押圧部分の更なる補強として、固定タング１６の両側におけるオープナータブの切取り部３４の縁部と、固定タング１６のフット３５とを、隆起リブ２９によって補強することが好ましい。隆起リブ２９は、オープナータブの押圧部分１７に形成されており（図４及び図５）、押圧部分の横方向縁部の補強隆起２８に結合することができる。
【００４５】
オープナータブ１４のクロージャアタッチメント３１を開口の中に保持する方式において、蓋板１１における開口１３ｂをクロージャアタッチメントによってできるだけ隙間なく閉じることを目的として、クロージャアタッチメントの周囲面と開口の境界縁部との間の摩擦によって、クロージャアタッチメントが開口に押し下げられた状態で保持されるように、クロージャアタッチメントと開口の境界縁部２３との間をできるだけぴったりと嵌まるようにすることができる。更に、柔らかいプラスチック材料（図示していない）によって周囲面を薄くコーティングすることによって、この方策を支援することができる。クロージャアタッチメントが開口に押し込まれるとき、開口の境界縁部は、このコーティングの中に少し沈み込むことができる。
【００４６】
上述した方策のそれぞれに加えて、又はそれぞれに代えて、本発明の好ましい改善として、開口１３ｂの境界縁部２３とラッチ式に相互作用するラッチ突起３９が、クロージャアタッチメント３１の周囲面１９に形成されている。
【００４７】
このようなラッチ突起３９は、模範的な実施形態においては２つのラッチ突起３９であり、握り部分１８の凹部３０の周囲壁に形成されている対応する小さなくぼみによって、周囲面１９の、固定スタッド１５から遠い部分に形成されていることが好ましい（図４、図５、図７、図８）。
【００４８】
クロージャアタッチメント３１及び握り部分１８を開口１３ｂからより容易に再び持ち上げることができるようにする目的で、開口の、固定スタッドから遠い側に、凹部の形式における指の隙間２４を蓋板１１に形成することができる。この隙間は、オープナータブ１４のクロージャ回転位置において、握り部分の覆いカラー３２を超えて突出している（図５）。これによって、開口からクロージャアタッチメントを持ち上げる目的で、クロージャ回転位置において、クロージャアタッチメント３１の周囲の覆いカラーの底部を指先で握ることができる。開口縁部２３の周囲に環状ビード４が存在するときには（上記に詳しく説明してある）、蓋板１１の凹部の形式におけるこのような指の隙間２４は、環状ビード４（図４）の対応する凸状延長部によって形成することができる。
【００４９】
更に、すでに述べたように、特に、クロージャアタッチメント３１が開口１３ｂに係合しているときに（図７）押圧部分１７を蓋板１１の上にある距離に保持する、急勾配で登っているフット部分３５ａが固定タング１６上に形成されており、且つ、クロージャ回転位置（図８）において、開口とは反対側の固定スタッド１５の横に受入れ凹部３３が蓋板に形成されていて、その凹部３３の上に押圧部分１７が達している場合、オープナータブの押圧部分１７を押し下げることによって、クロージャアタッチメント３１を持ち上げることができる。
【００５０】
オープナータブ１４のオープナー回転位置（図４及び図７）における、握り部分１８の、固定スタッド１５から遠い側に、凹部の形式における指の隙間２５を蓋板１１に形成することも好ましい。この結果として、破断部分１３ａを破断させる目的で、蓋板の上に平らに延在している握り部分を持ち上げるときに、握り部分１８の下を容易に指先で握ることができる。クロージャアタッチメント３１の受入れ凹部３３が蓋板１１に形成される場合、指の隙間２５は、対応する受入れ凹部３３（図４）の拡張部によって形成することもできる。
【００５１】
下から見たとき、握り部分１８の下面のクロージャ部分３１は、周囲隆起（図７：クロージャアタッチメント３１の左半分）か、又は、台地状の隆起（図７：クロージャアタッチメント３１の右半分）として、成形することができる。また、凹部３０の中央域を、環状周囲凹部から始まる凸状弓形に上に湾曲させ、従ってクロージャアタッチメント３１の下面が相応して凹状弓形となるようにすることも可能である。いずれの場合にも、側面図におけるクロージャアタッチメント３１の下面の輪郭は、実質的に覆いカラー３２に平行に延びている。
【００５２】
オープナータブ１４のクロージャ回転位置における開口１３ｂの境界縁部２３との相互作用において、ある程度のシール効果を提供する目的で、覆いカラー３２の下面に、弾性的な（ｃｏｍｐｌｉａｎｔ）ゴム材料、又は好ましくはプラスチック材料のコーティング（図示していない）を設けることができる。
【００５３】
前にすでに詳しく述べたが、シールを提供すること、若しくは、開口１３ｂの境界縁部にクロージャアタッチメントを保持すること、又はこれらの両方を目的として、周囲面１９にも相応してそのようなコーティングを設けることができる。
【００５４】
しかしながら、オープナータブをオープナー回転位置からクロージャ回転位置に回転させるときと、クロージャ回転位置から回転させるときの摩擦抵抗をできるだけ小さくする目的で、蓋板１１に面しているクロージャアタッチメントの下側は、コーティングを施さないままとすることが好ましい。
【００５５】
図面から分かるように、本発明による蓋板１１、及び特に、本発明によるオープナータブ１４は、薄い板材から、特に、壁圧が実質的に一定である金属板材であって、本発明による構造におけるビードや隆起などの突起及び凹部を形成するための押抜きと深絞りの組合せなど、変形技術によって所望の輪郭に切断されている、金属板材、から製造することができる。
【００５６】
蓋板１１の縁部フランジ２（ある距離だけオープナータブの上に突出している）の内側、オープナータブ１４の上に、十分な自由空間が残って、容器、特に飲料缶を、従来と同様に、上の缶がその下の缶の蓋に係合することによって積み重ねることができるように、本発明によるオープナータブ１４は、全体としてできるだけ平らに作製されている。積み重ねることができるように、本発明による蓋が設けられている飲料缶１０は、図９に対応する構造において、下部の軸方向環状フランジ３も有する。このフランジの外径は、蓋の、クリンプされた上部縁部フランジ２の内径よりも小さい。缶本体１０は、相応する大きな直径を有し、下部環状フランジ３の上の領域には、斜めに延在している環状ショルダー部４０が形成されている。この環状ショルダー部４０により、積み重ねられた状態の缶は、上部縁部フランジ２の上に乗り、蓋に入っているそれぞれの上の缶１０の環状フランジ３がオープナータブに接触することがない。
【図面の簡単な説明】
【００５７】
【図１】本発明による、閉じた状態におけるクロージャを有する飲料缶の蓋板の概略的な平面図を示している。
【図２】図１によるクロージャの一部を、正しい縮尺とは異なる概略的な断面図として示している。
【図３】本発明によるクロージャのオープナータブの更なる模範的な実施形態を、正しい縮尺とは異なる概略図として示している。
【図４】オープナー回転位置における蓋とオープナータブの平面図である。なお、図４、図５、図６、図７、図８は、本発明による、飲料缶の蓋の、現時点において好ましい模範的な実施形態を示している。いずれの場合にも拡大図であるが、必ずしも正しい縮尺ではない。
【図５】クロージャ回転位置における蓋とオープナータブの平面図である。
【図６】蓋板を下から見た図である。
【図７】オープナー回転位置における蓋とオープナータブの断面図である。
【図８】クロージャ回転位置における蓋とオープナータブの断面図である。
【図９】飲料缶の側面図を示している。
【図１】
2006510553.tif 000003
【図２】
2006510553.tif 000004
【図３】
2006510553.tif 000005
【図４】
2006510553.tif 000006
【図５】
2006510553.tif 000007
【図６】
2006510553.tif 000008
【図７】
2006510553.tif 000009
【図８】
2006510553.tif 000010
【図９】
2006510553.tif 000011
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
破断部分（１３ａ）が形成されている蓋板（１１）、及び、押圧部分（１７）と、握り部分（１８）と、固定タング（１６）とが設けられているオープナータブ（１４）を有している、特に飲料缶のような容器（１０）の蓋（１）であり、
前記固定タング（１６）が、前記オープナータブの切取り部（３４）に配置されており、前記押圧部分（１７）の上に形成されているフット（３５）を有し、前記オープナータブ（１４）を、前記破断部分（１３ａ）の横に、回転可能な状態で前記蓋板の固定スタッド（１５）に固定しており、
前記オープナータブ（１４）のオープナー回転位置において、前記握り部分（１８）を持ち上げることによって、前記破断部分（１３ａ）を、前記押圧部分（１７）によって押し下げて、これによって破断させることができ、もって、境界縁部（２３）によって境界が定義されている開口（１３ｂ）が前記蓋板に形成され、前記オープナータブのクロージャ回転位置において、前記開口（１３ｂ）をクロージャアタッチメント（３１）によって再び閉じることができるようになっており、
前記クロージャアタッチメント（３１）が、前記握り部分に形成されている凹部によって、前記握り部分の下面に、覆いカラー（３２）からある角度において突出しており、
前記固定タング（１６）が、細長い形状に形成されており、且つ、該固定タングのフット（３５）と前記固定スタッド（１５）との間にねじり部分（１６ａ）を有し、
前記クロージャアタッチメント（３１）が、平らな形状に形成されており、且つ、輪郭が前記開口（１３ｂ）の輪郭に一致する周囲面（１９）を、前記覆いカラーに隣接して有し、もって、前記オープナータブ（１４）の前記クロージャ回転位置において、前記握り部分を閉位置に押し下げることができ、前記閉位置において、前記クロージャアタッチメント（３１）が、前記覆いカラー（３２）が前記開口（１３ｂ）の前記境界縁部（２３）の上に実質的に乗る程度に、前記開口（１３ｂ）に係合するようになっており、
前記オープナータブ（１４）の前記オープナー回転位置において前記クロージャアタッチメントを受け入れることを目的とする受入れ凹部（３３）が、前記蓋板（１１）の上側に形成されており、もって、突出し形成部が前記板（１１）の前記下面に形成されている、
前記蓋において、
前記開口（１３ｂ）の前記境界縁部（２３）が、前記蓋板（１１）の前記上側に凹部として形成されている補強環状ビード（４）によってその境界が画成されており、補強ビード（５）が、前記固定スタッド（１５）の両側のそれぞれに前記蓋板の前記上側に凹部として形成されており、前記受入れ凹部（３３）によって形成されている前記突出し形成部において終了していることを特徴とする、蓋。
【請求項２】
前記固定タング（１６）が、そのフット（３５）によって、前記オープナータブ（１４）の前記オープナー回転位置において前記固定スタッド（１５）の横の前記破断部分（１３ａ）の前記縁部部分（２６）を超えて突出している、請求項１に記載の蓋。
【請求項３】
前記開口（１３ｂ）が、前記オープナータブ（１４）の前記オープナー位置において、両側において前記オープナータブ（１４）の前記押圧部分（１７）を大幅に超えて延在しており、前記オープナータブが、その押圧部分からその握り部分まで徐々に幅が広がっている、請求項１又は２に記載の蓋。
【請求項４】
前記開口（１３ｂ）の、前記固定スタッド（１５）の横の側が、直線に沿って延びている、請求項１〜３のいずれか１項に記載の蓋。
【請求項５】
前記オープナータブ（１４）が、前記蓋板（１１）からある距離に延在しており、前記固定タング（１６）の前記フット（３５）と前記固定タング（１６）の前記ねじり部分（１６ａ）との間に、前記ねじり部分と前記押圧部分（１７）とに対してある角度に配置されているフット部分（３５ａ）が形成されている、請求項１〜４のいずれか１項に記載の蓋。
【請求項６】
前記受入れ凹部（３３）が、前記クロージャアタッチメント（３１）の前記覆いカラー（３２）の輪郭よりも大きい輪郭を有し、前記突出し形成部が、前記固定スタッド（１５）の周囲領域において前記蓋板を補強するショルダーを含んでいる、請求項１〜５のいずれか１項に記載の蓋。
【請求項７】
前記蓋板（１１）の前記固定スタッド（１５）が、前記固定スタッドの少なくとも直径に一致する距離（２７）だけ前記開口（１３ｂ）から離れた位置に配置されている、請求項１〜６のいずれか１項に記載の蓋。
【請求項８】
前記覆いカラーの下面が、前記オープナータブ（１４）の前記クロージャ位置における前記開口（１３ｂ）の前記境界縁部２３との相互作用においてシール効果を提供する目的で、弾性的なゴム材料又はプラスチック材料のコーティングを有する、請求項１〜７のいずれか１項に記載の蓋。
【請求項９】
前記オープナータブ（１４）の前記押圧部分（１７）が、その自由端の領域において中央ビード（６）によって補強されている、請求項１〜８のいずれか１項に記載の蓋。
【請求項１０】
前記オープナータブ（１４）の前記押圧部分（１７）の前記境界画成縁部が、握り部分（１８）まで補強隆起（２８）によって補強されている、請求項１〜９のいずれか１項に記載の蓋。
【請求項１１】
前記オープナータブ（１４）の前記押圧部分（１７）が、
前記固定タング（１６）の前記フット（３５）に沿っている隆起リブ（２９）であり、前記固定タング（１６）の両側において切取り部（３４）に沿っている隆起リブ（２９）によって、補強されている、請求項１〜１０のいずれか１項に記載の蓋。
【請求項１２】
前記隆起リブ（２９）のうち前記切取り部（３４）の両側に延在している部分が、前記補強隆起（２８）に結合されている、請求項１０及び１１に記載の蓋。
【請求項１３】
前記開口（１３ｂ）の前記境界縁部（２３）とラッチ式に相互作用するラッチ突起（３９）が、前記クロージャアタッチメント（３１）の前記周囲面（１９）に形成されている、請求項１〜１２のいずれか１項に記載の蓋。
【請求項１４】
指の隙間（２４）が、前記開口（１３ｂ）の、前記固定スタッド（１５）から遠い側に蓋板１１に形成されており、前記オープナータブ（１４）の前記クロージャ回転位置において、前記握り部分（１８）の前記覆いカラー（３２）を超えて突出している、請求項１〜１３のいずれか１項に記載の蓋。
【請求項１５】
指の隙間（２５）が、前記オープナータブ（１４）の前記オープナー回転位置における、前記握り部分（１８）の、前記固定スタッド（１５）から遠い側に、前記蓋板（１１）に形成されている、請求項１〜１４のいずれか１項に記載の蓋。
【請求項１６】
前記クロージャアタッチメント（３１）が、周囲隆起として又は台地状の隆起として形成されている、請求項１〜１５のいずれか１項に記載の蓋。
【請求項１７】
前記蓋板（１１）が、ある距離だけ前記オープナータブ（１４）より上に立ち上がっている突出縁部フランジ（２）を有する、請求項１〜１６のいずれか１項に記載の蓋。
【請求項１８】
前記オープナータブ（１４）の前記固定タング（１６）が、ばねタングとして形成されており、前記ばねタングによって、前記オープナータブの前記クロージャアタッチメント（３１）が、前記蓋板（１１）に弾性的に押し付けられている、請求項１〜１７のいずれか１項に記載の蓋。
【請求項１９】
請求項１〜１８のいずれか１項に記載の蓋（１）を有する、特に飲料缶のような容器（１０）。
【請求項２０】
請求項１７に記載の蓋（１）を有する、請求項１９に記載の特に飲料缶のような容器（１０）であって、
前記蓋板（１１）の前記突出縁部フランジ（２）が前記オープナータブ（１４）より上に立ち上がっている距離よりも小さい軸方向長を有する軸方向環状フランジ（３）が、周囲体から半径方向の所定距離にて、前記容器（１０）の下端部に設けられている、
特に飲料缶のような容器。
【国際調査報告】
2006510553.tif 000012
2006510553.tif 000013
2006510553.tif 000014